(57)【要約】【課題】  ダイレクト印刷システムおいて、デジカメや携帯に特別なアプリケーションや操作パネルなどを付加することなく、メンテナンス処理や印刷設定など簡単に実現させる。【解決手段】  メンテナンス処理や印刷設定の内容を視覚的に説明する画像データをプリンタに用意しておき、デジカメや携帯電話に送信する。そして送信した説明用の画像データをデジカメや携帯が印刷データとして送信してきた際には、通常の印刷動作はせず、対応するメンテナンス動作や印刷設定等を行う。【選択図】  図１
2006334811.tif 000002
【特許請求の範囲】
【請求項１】
印刷装置から画像データを受信して保持し、保持している画像データを印刷装置に送信可能な第１の画像送受信部と、保持している画像データの中からユーザが選択した画像データを表示可能な画像表示部を有するホスト装置と、
被印刷媒体に対して印刷を行う印刷部と、１つ以上の特定画像データを保持しておく特定画像保持部と、上記１つ以上の特定画像データを上記ホスト装置に送信し、上記ホスト装置から画像データを受信可能な第２の画像送受信部と、上記第２の画像送受信部で受信した画像データが、上記特定画像保持部に保持されている特定画像データのいずれかと一致するかを識別する特定画像データ識別部を有する印刷装置からなる印刷システムにおいて、
上記特定画像データは、上記ホスト装置の上記画像表示部で表示可能な画像データであり、更に上記特定画像データを受信した際に上記印刷装置が実行する特定処理の内容を、文字や図柄などにより視覚的に示す画像データであって、
上記印刷装置が、上記第２の画像送受信部によって上記ホスト装置から受信した画像データを、上記特定画像データ識別部によって、上記特定画像データ保持部に保持されている上記特定画像データのいずれかと一致するかを所定の判断基準に沿って判断し、
（ａ）上記特定画像データのいずれとも一致しないと判断した場合には、受信した画像データの画像イメージを上記印刷部によって被印刷媒体に印刷し、
（ｂ）上記特定画像データのいずれかと一致すると判断した場合には、受信した画像データに対応する画像イメージを印刷せず、上記各特定画像データに対して予め決められている上記特定処理を行う事を特徴とする印刷システム。
【請求項２】
請求項１に記載の印刷システムにおいて、
（１）上記印刷装置が上記特定画像保持部に保持している特定画像データを上記ホスト装置に送信し、
（２）上記ホスト装置が上記印刷装置が送信した画像データを受信して保持し、保持された上記画像データをユーザの選択に従って上記画像表示部に表示し、更にユーザの選択に従って上記印刷部に送信し、
（４）上記印刷装置が上記ホスト装置が送信した画像データを受信し、受信した画像データが、上記特定画像保持部に保持している特定画像データのいずれかと一致するかを、上記特定画像データ識別部により所定の判断基準に沿って判断し、（ａ）上記受信した画像データの画像イメージを上記印刷部によって被印刷媒体に印刷するか、（ｂ）上記特定画像データに対して予め決められている特定処理を行うか、のいずれかの処理を行うことを特徴とする印刷システム。
【請求項３】
上記請求項１又は、請求項２の特定画像が、ＪＰＥＧ、ＴＩＦＦ、ＢＭＰなどの汎用的な画像データフォーマットに準拠したものであることを特徴とする印刷システム。
【請求項４】
上記請求項１、請求項２又は、請求項３の印刷装置が、インクを被印刷媒体に吐出して印刷を行うインクジェトプリンタであることを特徴とする印刷システム。
【請求項５】
上記請求項１〜請求項４のいずれかに記載の特定画像データを受信した際の特定処理が、印刷装置の印刷部が良好な印刷処理を行う為のメンテナンス処理であることを特徴とする印刷システム。
【請求項６】
上記請求項５の特定画像データを受信した際に行うメンテナンス処理が、良好にインクを吐出するためのメンテナンス処理であることを特徴とする印刷システム。
【請求項７】
上記請求項６の特定画像データを受信した際に行う良好にインクを吐出するためのメンテナンス処理が、インクの吐出ノズルのクリーニング処理であることを特徴とする印刷システム。
【請求項８】
上記請求項６の特定画像データを受信した際に行う良好にインクを吐出するためのメンテナンス処理が、インクの吐出が正常に行われているかを確認するための確認印刷処理であることを特徴とする印刷システム。
【請求項９】
上記請求項５の特定画像データを受信した際に行うメンテナンス処理が、インクの吐出タイミングを調整する為の設定や処理に関するものであることを特徴とする印刷システム。
【請求項１０】
上記請求項１〜請求項４のいずれかに記載の特定画像データを受信した際の特定処理が、上記印刷部での印刷設定であることを特徴とする印刷システム。
【請求項１１】
上記請求項１０の上記印刷設定が、印刷する被印刷媒体の種類を特定する為のものであることを特徴とする印刷システム。
【請求項１２】
上記請求項１０の上記印刷設定が、被印刷媒体に対する印刷画像の配置や大きさなどのレイアウト情報を特定するものであることを特徴とする印刷システム。
【請求項１３】
上記請求項１〜請求項１２のいずれかに記載の印刷システムにおけるホスト装置が、デジタルスティルカメラであることを特徴とする印刷システム。
【請求項１４】
上記請求項１〜請求項１２のいずれかに記載の印刷システムにおけるホスト装置が、画像表示機能を持った携帯電話であることを特徴とする印刷システム。
【請求項１５】
上記請求項１〜請求項１４のいずれかに記載の印刷システムにおけるホスト装置の上記第１のデータ送受信部および印刷装置の上記第２のデータ送受信部が、赤外線を利用する赤外線通信によってデータ通信を実現することを特徴とする印刷システム。
【請求項１６】
上記請求項１〜請求項１４のいずれかに記載の印刷システムにおけるホスト装置の上記第１のデータ送受信部および印刷装置の上記第２のデータ送受信部が、導線ケーブルを装置間に接続して行うシリアルデータ通信によってデータ通信を実現することを特徴とする印刷システム。
【請求項１７】
上記請求項１６のシリアルデータ通信が、Ｕｎｉｖｅｒｓａｌ  Ｓｅｒｉａｌ  Ｂｕｓ仕様に準拠することを特徴とする印刷システム。
【請求項１８】
上記請求項１〜請求項１４のいずれかに記載の印刷システムにおけるホスト装置の上記第１のデータ送受信部および印刷装置の上記第２のデータ送受信部が、電波を利用する無線通信によってデータ通信を実現することを特徴とする印刷システム。
【発明の詳細な説明】
【技術分野】
【０００１】
本発明は、ケーブルや赤外線などで、画像データを送信できるデジタルカメラや携帯電話などのホスト装置と、上記ホスト装置から受け取った画像データを印刷できる印刷装置からなる、フォトダイレクト印刷システムに関するものである。
【背景技術】
【０００２】
近年、簡単な操作で画像を撮影してデジタル画像データに変換できるデジタルカメラ（撮像装置）やデジタルカメラ機能付携帯電話所謂、デジカメが広く使用されるようになってきている。このようなカメラで撮影した画像を印刷して写真として使用する場合には、通常、一旦その撮影されたデジタル画像データを、デジタルカメラからＰＣ（コンピュータ）に取り込み、そのＰＣで画像処理を行った後、そのＰＣからカラープリンタに出力して印刷するのが一般的である。
【０００３】
これに対して最近は、ＰＣを介することなく、デジタルカメラと印刷装置をケーブルや、赤外線等で直接通信させて画像を転送することで、デジタルカメラや携帯電話で撮影した画像を、直接印刷装置から印刷するダイレクト印刷システムが開発されている。
【０００４】
ここで、ダイレクト印刷システムにおいて、デジタルカメラや携帯電話から印刷装置に画像データを転送する手順は、（１）デジタルカメラや携帯電話とプリンタをケーブルで接続する。（赤外線通信を用いる場合には発行部と受光部を向かいあわせる）（２）デジタルカメラや携帯電話の液晶ディスプレイに印刷したい画像を表示させる。（３）特定のキー操作を行って表示されている画像データを印刷装置に転送する。（３）受信した画像データのイメージを印刷装置が装着されている用紙に印刷する。といった手順が一般的にとられる。
【０００５】
又、別の従来例としては、特許文献１及び特許文献２をあげることが出来る。
【特許文献１】特開２００４−２３７７１３号公報
【特許文献２】特開２００４−２４０９４４号公報
【発明の開示】
【発明が解決しようとする課題】
【０００６】
印刷装置が良好な印刷処理を継続的に行うには、適切なタイミングで装置のメンテナンス処理を行わなければならない場合がある。たとえば用紙にインクを吐出して印刷を行うインクジェットプリンタにおいては、印刷結果がかすれた場合等にインク吐出ノズルに詰まったインクを除去する為の吸引（クリーニング）処理などを行う必要がある。
【０００７】
また、ある印刷装置では、さまざまなサイズや種類の用紙に対して印刷が実行できるものがあり、このような印刷装置に対してはどの用紙に対して印刷を行うかの設定を行う必要がある。
【０００８】
しかし、従来のダイレクト印刷システムにおいて、デジタルカメラや携帯電話からメンテナンス処理の実行指示や、用紙の設定を行える様にする為には、画像を印刷装置に転送する機能の他に、メンテナンスの項目や用紙の設定をユーザに選択させて印刷装置に対応するコマンドを発行する様な仕組みを設ける必要があり、製造負荷の増大やコストアップの要因となっていた。
【課題を解決するための手段】
【０００９】
印刷装置から画像データを受信して保持し、保持している画像データを印刷装置に送信可能な第１の画像送受信部と、保持している画像データの中からユーザが選択した画像データを表示可能な画像表示部を有するホスト装置と、
被印刷媒体に対して印刷を行う印刷部と、１つ以上の特定画像データを保持しておく特定画像保持部と、上記１つ以上の特定画像データを上記ホスト装置に送信し、上記ホスト装置から画像データを受信可能な第２の画像送受信部と、上記第２の画像送受信部で受信した画像データが、上記特定画像保持部に保持されている特定画像データのいずれかと一致するかを識別する特定画像データ識別部を有する印刷装置からなる印刷システムにおいて、
上記特定画像データは、上記ホスト装置の上記画像表示部で表示可能な画像データであり、更に上記特定画像データを受信した際に上記印刷装置が実行する特定処理の内容を、文字や図柄などにより視覚的に示す画像データであって、
上記印刷装置が、上記第２の画像送受信部によって上記ホスト装置から受信した画像データを、上記特定画像データ識別部によって、上記特定画像データ保持部に保持されている上記特定画像データのいずれかと一致するかを所定の判断基準に沿って判断し、
（ａ）上記特定画像データのいずれとも一致しないと判断した場合には、受信した画像データの画像イメージを上記印刷部によって被印刷媒体に印刷し、
（ｂ）上記特定画像データのいずれかと一致すると判断した場合には、受信した画像データに対応する画像イメージを印刷せず、上記各特定画像データに対して予め決められている上記特定処理を行う事を特徴とする印刷システムである。
【発明の効果】
【００１０】
本発明であるダイレクト印刷システムにより、携帯電話やデジタルカメラ側に、印刷装置のメンテナンス処理や印刷設定を行う為の専用のユーザインターフェイスを設けることなく、印刷装置のメンテナンス処理実行や、印刷装置の印刷設定の変更を、デジタルカメラや携帯電話から簡単な操作で実行することが可能となる。よって、装置のコストダウンや製造の負荷の低減を実現することができる。
【発明を実施するための最良の形態】
【００１１】
次に、本発明の詳細を実施例の記述に従って説明する。
【実施例１】
【００１２】
以下、添付図面を参照して本発明の好適な実施形態を詳細に説明する。
【００１３】
図１は、本発明の実施の形態に係るフォトダイレクト（ＰＤ）プリンタ１０００の概観斜視図である。このフォトダイレクトプリンタは、ホストコンピュータ（ＰＣ）からデータを受信して印刷する通常のＰＣプリンタとしての機能と、デジタルカメラからの画像データを直接受信して印刷する機能を備えている。
【００１４】
図１において、本実施の形態に係るフォトダイレクト（ＰＤ）プリンタ１０００の外殻をなす本体は、下ケース１００１、上ケース１００２、アクセスカバー１００３及び排出トレイ１００４の外装部材を有している。また、下ケース１００１は、装置１０００の略下半部を、上ケース１００２は本体の略上半部をそれぞれ形成しており、両ケースの組合せによって内部に後述の各機構を収納する収納空間を有する中空体構造をなし、その上面部及び前面部にはそれぞれ開口部が形成されている。さらに、排出トレイ１００４は、その一端部が下ケース１００１に回転自在に保持され、その回転によって下ケース１００１の前面部に形成される開口部を開閉させ得るようになっている。このため、記録動作を実行させる際には、排出トレイ１００４を前面側へと回転させて開口部を開成させることにより、ここから記録シートが排出可能となると共に、排出された記録シートを順次積載し得るようになっている。また、排紙トレイ１００４には、２枚の補助トレイ１００４ａ，１００４ｂが収納されており、必要に応じて各トレイを手前に引き出すことにより、用紙の支持面積を３段階に拡大、縮小させ得るようになっている。
【００１５】
アクセスカバー１００３は、その一端部が上ケース１００２に回転自在に保持され、上面に形成される開口部を開閉し得るようになっており、このアクセスカバー１００３を開くことによって本体内部に収納されている記録ヘッドカートリッジ（不図示）あるいはインクタンク（不図示）等の交換が可能となる。なお、ここでは特に図示しないが、アクセスカバー１００３を開閉させると、その裏面に形成された突起がカバー開閉レバーを回転させるようになっており、そのレバーの回転位置をマイクロスイッチなどで検出することにより、アクセスカバーの開閉状態を検出し得るようになっている。
【００１６】
また、上ケース１００２の上面には、電源キー１００５が押下可能に設けられている。また、１００７は自動給送部で、記録シートを装置本体内へと自動的に給送する。１００８は紙間選択レバーで、プリントヘッドと記録シートとの間隔を調整するためのレバーである。１０１３は、パーソナルコンピュータ（ＰＣ）を接続するためのＵＳＢバスコネクタを示す。
【００１７】
図２は本実施１の形態に係るＰＤプリンタ装置１０００と携帯電話１０１４とを接続した状態を示す図である。
【００１８】
図中１０００は赤外線通信部１０１３により携帯電話１０１４に画像を送信および受信可能な印刷装置、１０１２は押下することで、印刷装置が保持しているメンテナンス実行指示画像を上記携帯電話１０１４に送信するメンテナンス実行指示画像送信ボタン、１０１４は赤外線通信部１０１５により、印刷装置１０００に画像を送信および受信可能な携帯電話、１０１６は保持している画像データを表示可能な液晶表示部、１０１７は携帯電話の操作をユーザに行わせる操作ボタンをそれぞれ示している。
【００１９】
図３は携帯電話と印刷装置（プリンタ）からなる本実施例１の印刷システム全体の構成を示す構成図である。
【００２０】
図３において１０１４は携帯電話の構成を示し、４００３は操作ボタン１０１７からなる操作部、４００４は液晶表示部１０１６によって画像を表示する表示部、４００５はアンテナ（不図示）などによって構成され、電波によって通話やデータ通信を実現する通話部、４００９は脱着可能なメモリカードとその制御回路を含むメモリカード、４００１は印刷装置１００に対して画像データを送信（または受信）する赤外線送受信部、４００２は携帯電話１０１４全体の制御を行う制御部をそれぞれ示している。
【００２１】
また、１０００はプリンタの構成を示しており、４００６携帯電話１０１４から画像データを受信（または送信）する赤外線送受信部、４００７は装置全体の制御を行う制御部、４００８は被印刷媒体にインクを吐出して印刷処理を行う印刷部、４０１０はメンテナンス実行指示画像を複数保持している画像保持部、４０１１は上記メンテナンス画像送信ボタンや電源キー１００５からなりユーザがプリンタの操作を行う為の操作部を示している。
【００２２】
図４〜図７は、本実施例のダイレクト印刷システムの特徴を示す動作フロー図であり、図８は携帯電話１０１４の液晶表示部１０１６に表示される画面表示例を示すものである。
【００２３】
以下にこれらの図にそって、本実施例の特徴的な動作を説明する。
【００２４】
図４は、印刷装置１０００が携帯電話１０１４にメンテナンス実行指示画像を送信する動作をしめすフロー図である。
【００２５】
まず、ユーザは印刷装置１０００が保持している”メンテナンス実行指示画像”を携帯電話１０１４に転送するために、印刷装置の赤外線通信部１０１３と、携帯電話１０１４の赤外線通信部１０１５を向かいあわせ、メンテナンス実行指示画像送信ボタン４０１２を押下する（Ｓ４０１）。
【００２６】
ここで、本実施例１の印刷装置１０００は、画像保持部４０１０に２種類の”メンテナンス実行指示画像”を保持しており、１つ目はインクを吐出するノズルのクリーニング処理の実行を指示する為のメンテナンス実行指示画像（ａ）であり、もう１つはインクをノズルから適切に吐出できているかを、実際に紙面にテスト印刷して確認するノズルチェックパターン印刷の実行を指示する為のメンテナンス実行指示画像（ｂ）である。
【００２７】
よって、メンテナンス実行指示画像送信ボタン４０１２が押下されると、上記画像保持部４０１０に保持されている２つメンテナンス実行指示画像（ａ）と（ｂ）が印刷装置から携帯電話１０１４に順に送信され（Ｓ４０２）、全てメンテナンス指示画像の送信が終わると通信を終了する（Ｓ４０３）。
【００２８】
図５は携帯電話１０１４が上記印刷装置から”メンテナンス実行指示画像”を受信する際の動作を示すフロー図である。
【００２９】
まず、ユーザは携帯電話の操作ボタン１０１７が操作して、携帯電話で赤外線データを受信するモードに移行させ（Ｓ５０１、Ｓ５０２）、印刷装置からの赤外線データを待つ（Ｓ５０３）。
【００３０】
そして、赤外により画像データを受信すると、受信した画像を液晶画面に表示し（Ｓ５０４）、ユーザがデータ保存を指示すると（Ｓ５０５）、受信画像をメモリカード４００９に順に保存していく（Ｓ５０６）。
【００３１】
本実施例では、２つのメンテンンス実効指示画像が送信されてくるので、２つの画像データを順に受信してメモリカードに保持される。
【００３２】
図６は、逆に携帯電話から印刷装置に画像データを送信する際の動作を示すフロー図である。
【００３３】
まず、ユーザは携帯電話を、メモリカードに保存されている画像データ液晶画面に表示する”画像表示モード”に移行させる（Ｓ６００）。すると、まずメモリカードに保持されている先頭の画像データが液晶表示部１０１６に表示され、更に操作部９００３を操作することで、画像データがメモリカードから次々と読み出されて、液晶表示部９００１に順に表示されていく（Ｓ６０１、Ｓ６０２、Ｓ６０３）。
【００３４】
ここで、ユーザが、携帯電話の赤外線通信部と印刷部の赤外線通信部を向かい合わせ、表示されている画像データを印刷装置に送信する操作を行う（Ｓ６０４）と、現在表示されている画像データが、印刷装置１０００に順次転送されていく（Ｓ６０６）。
【００３５】
図７は、上記携帯電話１０１４が送信した画像データを、印刷装置１０００が受信した際の動作を示すフロー図である。
【００３６】
まず、携帯電話１０１４が送信したデータが、赤外線通信部に受信されると（Ｓ７０１）、受信した画像が印刷部４００８で印刷可能な画像であるかを画像データのヘッダ情報などを調べることで確認される（Ｓ７０２）。そして印刷可能な画像であると判断された場合には更に、画像保持部４０１０に保持してある２つの”メンテナンス実行指示画像データ”と、受信した画像データの特定個所のデータパターンが一致するかを一定の法則で比較し、”メンテナンス実行指示画像”のいずれかであると判断すると、通常の画像データを赤外線データで受信した際とは異なる処理を行う（Ｓ７０３）。
【００３７】
まず、受信した画像データがメンテナンス実行指示画像（ａ）であると判断できた場合には、受信画像データの画像データのイメージを印刷する代わりにノズルのクリーニング処理が実行される（Ｓ７０５、Ｓ７０６）。またメンテナンス実行指示画像（ｂ）であると判断できた場合には、上記ノズルのチャックパターン印刷が実行される（Ｓ７０７、Ｓ７０８）。
【００３８】
そして、上記２つのメンテナンス実行指示画像のどちらでもない画像データであると判断した場合のみ、その画像データに対して必要な画像処理を行い、画像データが表すイメージが印刷部４００８により用紙に印刷される。
【００３９】
図８は、図６の流れで携帯電話１０１４にメモリカード内の画像データを表示した際の表示例を示している。図中、６００２および６００４はメモリカード内の画像表示、６００１は現在表示されている画像の画像番号、６００３はユーザに操作を説明するガイド表示をそれぞれ示している。
【００４０】
ここで上記６００２は、通常の画像データが選択され液晶画面に表示されている場合を示しており、この状態でユーザが操作ボタン１０１７を操作して、画像データを印刷装置１０００に転送すると、印刷装置はその画像データのイメージをそのまま用紙に印刷する。
【００４１】
一方、６００４は、”メンテナンス実行指示画像（ａ）”が表示されている場合を示しており、この状態でユーザが操作ボタン１０１７を操作して、画像データを印刷装置１０００に転送すると、印刷装置は対応するメンテナンス処理（この表示例ではノズルのクリーニング）が実行される。
【００４２】
つまり、ユーザはメモリカードに保存されている画像データの中から印刷を行いたい画像を液晶画面に表示させて、印刷装置に送信するだけで、簡単に印刷を行うことができ、印刷装置にメンテナンス処理を実行させたい場合には、あらかじめ印刷装置から受信してメモリカードに保存しておいた”メンテナンス実行指示画像”を選択して、液晶画面に表示し印刷装置に送信するだけで、所望するメンテナンス処理を簡単に実行することが可能になる。よって、携帯電話側にメンテナンス処理の実行を指示させるようなユーザインターフェイスやアプリケーションを設けることなく、メンテナンス処理を簡単に実行することが可能になるのである。
【００４３】
ここで、”メンテナンス実行指示画像”のデータ形式は、通常の画像データと同様であり、ＪＰＥＧ等の汎用フォーマットに準拠した画像データである。よって、デジタルカメラ１０１４では”メンテナンス指実行示画像”を他の通常画像と区別することなく処理し、通常の画像データと同じ様に、液晶画面に表示することが可能である。しかし、６００４に示す様に”メンテナンス実行指示画像”は、画像を受信した際に印刷装置がどのようなメンテナンス処理を行うか、対象となるのはどの印刷装置であるのか、等の情報を、文字や絵や撮像によって表現する画像であるので、ユーザはこの画像を液晶画面に表示させて視覚的に確認することで、その内容を通常の画像データと区別することができ、簡単に適切なメンテナンス処理を選択できる様になっている。
【実施例２】
【００４４】
本実施例２のダイレクト印刷システムは、実施例１と同様に携帯電話と印刷装置からなるダイレクト印刷システムである。しかし実施例１の印刷装置とは異なり、本実施例２の印刷装置は、所定のメンテナンス処理の実行を指示する”メンテナンス実行指示画像”の代わりに、どのような用紙にどのようなレイアウトで印刷を行うかを指示する”印刷設定指示画像”を画像保持部に保持している。本実施例においては、用紙のサイズや種類を設定する用紙設定画像（ａ）群と、紙面のどの位置の画像を配置して印刷するかを設定する印刷レイアウト指示画像（ｂ）郡の２種類の”印刷設定指示画面”群を、それぞれ複数画像有する場合を示しており、携帯電話から受信した画像データが、上記”印刷設定指示画面”であるか、通常の画面データであるかを判断して処理を変えることを特徴とする。
【００４５】
図９は、本実施例２の印刷装置が、携帯電話から赤外線データを受信した際の特徴的な動作を示すフロー図である。
【００４６】
まず、携帯電話１０１４が赤外線により送信したデータが、赤外線通信部に受信されると（Ｓ９０１）、受信した画像が印刷部４００８で印刷可能な画像であるかを画像データのヘッダ情報などを調べることで確認される（Ｓ９０２）。そして印刷可能な画像であると判断された場合には更に、画像保持部４０１０に保持してある用紙設定画像群と、受信した画像データの特定個所のデータパターンが一致するかを一定の法則で比較し、用紙設定画像群の１つと一致すると判断すると、通常の画像データを赤外線データで受信した際とは異なる処理を行う（Ｓ９０３）。
【００４７】
まず携帯電話から受信した画像が、印刷設定指示画像（ａ）のいずれかであると判断した場合には、用紙のサイズおよび種類を、画像（ａ）の所定の個所に含まれるパラメータにしたがって変更し、その設定を保持する（Ｓ９０５、Ｓ９０６）。たとえば、Ａ４サイズの普通紙を設定させる印刷設定指示画像（ａ）を受信すると、以後に受信する通常の画像データに対しては、Ａ４サイズの普通紙に対応した印刷処理を行なって印刷が行われる。
【００４８】
また、印刷設定指示画像（ｂ）であると判断した場合には、用紙に対する画像の配置などのレイアウト設定を、画像（ｂ）の所定の位置に含まれるパラメータにしたがって変更し、その設定を保持する（Ｓ９０７、Ｓ９０８）。そして、”印刷設定指示画像”ではないと判断した場合のみ、受信した画像データが表現するイメージを、上記”印刷設定指示画面”によって設定された用紙設定およびレイアウト設定に従って、用紙に印刷する。
【００４９】
これにより、印刷したい画像データを携帯電話から印刷装置に送信する前に、上記”印刷設定指示画像”の中から希望する印刷設定を示す画像を、印刷装置に送信しておくことで、特別な操作をすうことなく、簡単に印刷設定を変更することが可能になる。
【００５０】
以上述べた様に、本実施例２のダイレクト印刷システムにより、携帯電話に印刷設定を選択して実行させる為のユーザインターフェイスを付加することなく、携帯電話からの簡単な操作で、印刷装置の印刷設定を帰ることが可能になる。
【実施例３】
【００５１】
本実施例３のダイレクト印刷システムは、携帯電話と印刷装置からなる実施例１および実施例２と異なり、デジタルカメラと印刷装置からなる印刷システムであり、デジタルカメラと印刷装置間を導線ケーブルで接続して画像データの送受信を行うことを特徴とする。
【００５２】
図１０は、本実施例３の構成を示す図であり、図中１０００は印刷装置、３０１２はデジタルカメラ、５０００は印刷装置の端子１０１２とデジタルカメラの端子５００３を接続するデータ通信ケーブルであり、本ケーブルによって印刷装置とデジタルカメラを接続することで、デジタルカメラから印刷装置、印刷装置からデジタルカメラへの画像送受信を実現することを特徴とする。（上記以外の構成や動作は実施例１または２と同様）
【図面の簡単な説明】
【００５３】
【図１】実施例１および２および３の印刷装置の概観斜視図
【図２】実施例１および２の携帯電話と印刷装置からなるシステム全体図
【図３】実施例１および２の携帯電話と印刷装置の構成図
【図４】実施例１の印刷装置の動作フロー図
【図５】実施例１の携帯電話の動作フロー図
【図６】実施例１の携帯電話の動作フロー図
【図７】実施例１の印刷装置の動作フロー図
【図８】携帯電話の画像表示例
【図９】実施例２の印刷装置の動作フロー図
【図１０】実施例３のデジタルカメラと印刷装置からなるシステム全体図
【符号の説明】
【００５４】
１０００  印刷装置
１０１４  携帯電話
３０１２  デジタルカメラ
【図１】
2006334811.tif 000003
【図２】
2006334811.tif 000004
【図３】
2006334811.tif 000005
【図４】
2006334811.tif 000006
【図５】
2006334811.tif 000007
【図６】
2006334811.tif 000008
【図７】
2006334811.tif 000009
【図８】
2006334811.tif 000010
【図９】
2006334811.tif 000011
【図１０】
2006334811.tif 000012